(57)【要約】      （修正有）【課題】画質を高めることができる駆動装置、駆動方法、および表示装置を提供する。【解決手段】駆動装置は、それぞれが電気泳動素子と画素電極とを有する複数の画素のうち、所定色以外の色から所定色に書き換える画素領域ＲＡの外側の第１の周辺領域ＲＢ１に属する第１の画素の画素電極に第１のパルス信号が生じるように第１の画素を駆動するとともに、第１の周辺領域の外側の第２の周辺領域ＲＢ２に属する第２の画素の画素電極に第２のパルス信号が生じるように第２の画素を駆動する駆動部を備える。【選択図】図９
2018021982.tif 000002
【特許請求の範囲】
【請求項１】
それぞれが電気泳動素子と画素電極とを有する複数の画素のうち、所定色以外の色から前記所定色に書き換える画素領域の外側の第１の周辺領域に属する第１の画素の前記画素電極に第１のパルス信号が生じるように前記第１の画素を駆動するとともに、前記第１の周辺領域の外側の第２の周辺領域に属する第２の画素の前記画素電極に第２のパルス信号が生じるように前記第２の画素を駆動する駆動部を備えた駆動装置。
【請求項２】
前記駆動部は、さらに、前記第２の周辺領域の外側の第３の周辺領域に属する第３の画素の前記画素電極に第３のパルス信号が生じるように前記第３の画素を駆動する
請求項１に記載の駆動装置。
【請求項３】
前記駆動部は、
第１の画像データに基づいて、前記第１の画像データにおける前記所定色以外の色を示す画素領域の外側の第４の周辺領域、および前記第４の周辺領域の外側の第５の周辺領域を検出し、
前記第１の画像データの次の第２の画像データにおける前記第４の周辺領域に属する各画素の画素値に基づいて前記第１の周辺領域を求めるとともに、前記第５の周辺領域に属する各画素の画素値に基づいて前記第２の周辺領域を求める
請求項１に記載の駆動装置。
【請求項４】
前記第２のパルス信号における駆動時間は、前記第１のパルス信号における駆動時間より短い
請求項１に記載の駆動装置。
【請求項５】
前記第２のパルス信号の振幅は、前記第１のパルス信号の振幅よりも小さい
請求項１に記載の駆動装置。
【請求項６】
前記駆動部は、前記画素領域に属する第４の画素の前記画素電極に第４のパルス信号が生じるように前記第４の画素を駆動し、
前記第１のパルス信号の終了タイミングは、前記第４のパルス信号の終了タイミングに対応したタイミングである
請求項１に記載の駆動装置。
【請求項７】
前記第１のパルス信号における駆動時間は、前記第４のパルス信号における駆動時間より短い
請求項６に記載の駆動装置。
【請求項８】
前記駆動部は、前記画素領域に属する第４の画素の前記画素電極に第４のパルス信号が生じるように前記第４の画素を駆動し、
前記第２のパルス信号の終了タイミングは、前記第４のパルス信号の終了タイミングに対応したタイミングである
請求項１に記載の駆動装置。
【請求項９】
前記第１のパルス信号および前記第２のパルス信号のうちの一方または双方は、複数のパルスを含む
請求項１に記載の駆動装置。
【請求項１０】
前記第１のパルス信号は、前記所定色に対応する第１の電圧と、第２の電圧と、前記第１の電圧と前記第２の電圧との間の第３の電圧とを含み、
前記第２のパルス信号は、前記所定色に対応する第４の電圧と、第５の電圧と、前記第３の電圧とを有し、
前記第２のパルス信号における前記第４の電圧である期間の長さは、前記第１のパルス信号における前記第１の電圧である期間の長さよりも短い
請求項１に記載の駆動装置。
【請求項１１】
前記第１の電圧と前記第４の電圧とは、互いに等しい
請求項１０に記載の駆動装置。
【請求項１２】
前記第１のパルス信号は、前記所定色に対応する第１の電圧と、第２の電圧と、前記第１の電圧と前記第２の電圧との間の第３の電圧とを含み、
前記第２のパルス信号は、前記所定色に対応する第４の電圧と、第５の電圧と、前記第３の電圧とを有し、
前記第４の電圧と前記第３の電圧との電圧差は、前記第１の電圧と前記第３の電圧との電圧差よりも小さい
請求項１に記載の駆動装置。
【請求項１３】
前記駆動部は、前記画素領域に属する第４の画素の前記画素電極に第４のパルス信号が生じるように前記第４の画素を駆動し、
前記第１のパルス信号の終了タイミングは、前記第４のパルス信号の終了タイミングに対応したタイミングである
請求項１０に記載の駆動装置。
【請求項１４】
前記駆動部は、前記画素領域に属する第４の画素の前記画素電極に第４のパルス信号が生じるように前記第４の画素を駆動し、
前記第２のパルス信号の終了タイミングは、前記第４のパルス信号の終了タイミングに対応したタイミングである
請求項１０に記載の駆動装置。
【請求項１５】
前記駆動部は、
前記第１のパルス信号を生成するための複数の第１のパラメータセットと、前記第２のパルス信号を生成するための複数の第２のパラメータセットとを記憶する記憶部をさらに有し、
前記複数の第１のパラメータセットのうちのいずれかに基づいて前記第１の画素を駆動するとともに、前記複数の第２のパラメータセットのうちのいずれかに基づいて前記第２の画素を駆動する
請求項１に記載の駆動装置。
【請求項１６】
前記駆動部は、
温度センサをさらに有し、
前記温度センサにおける検出結果に基づいて、前記複数の第１のパラメータセットのうちのうちの１つを選択するとともに、前記複数の第２のパラメータセットのうちのうちの１つを選択し、選択された第１のパラメータセットに基づいて前記第１の画素を駆動するとともに、選択された第２のパラメータセットに基づいて前記第２の画素を駆動する
請求項１５に記載の駆動装置。
【請求項１７】
前記所定色は、明表示に対応する色である
請求項１に記載の駆動装置。
【請求項１８】
前記所定色は、白色である
請求項１に記載の駆動装置。
【請求項１９】
それぞれが電気泳動素子と画素電極とを有する複数の画素のうち、所定色以外の色から前記所定色に書き換える画素領域の外側の第１の周辺領域に属する第１の画素の前記画素電極に第１のパルス信号が生じるように前記第１の画素を駆動し、
前記第１の周辺領域の外側の第２の周辺領域に属する第２の画素の前記画素電極に第２のパルス信号が生じるように前記第２の画素を駆動する
駆動方法。
【請求項２０】
それぞれが電気泳動素子と画素電極とを有する複数の画素を有する表示部と、
前記複数の画素のうち、所定色以外の色から前記所定色に書き換える画素領域の外側の第１の周辺領域に属する第１の画素の前記画素電極に第１のパルス信号が生じるように前記第１の画素を駆動するとともに、前記第１の周辺領域の外側の第２の周辺領域に属する第２の画素の前記画素電極に第２のパルス信号が生じるように前記第２の画素を駆動する駆動部と
を備えた表示装置。
【発明の詳細な説明】
【技術分野】
【０００１】
本開示は、電気泳動表示素子を用いた表示装置を駆動する駆動装置および駆動方法、ならびにそのような駆動装置を備えた表示装置に関する。
【背景技術】
【０００２】
例えば電子ペーパーには、しばしば、電気泳動表示素子を用いた双安定の電子光学ディスプレイが用いられる。例えば、特許文献１，２には、電子光学ディスプレイの駆動方法が開示されている。
【先行技術文献】
【特許文献】
【０００３】
【特許文献１】特開２０１２−１７７９４４号公報
【特許文献２】特開２０１６−８５４７７号公報
【発明の概要】
【発明が解決しようとする課題】
【０００４】
ところで、一般に、表示装置では、画質が高いことが望まれており、電気泳動表示素子を用いた電子光学ディスプレイにおいても、画質の向上が期待されている。
【０００５】
画質を高めることができる駆動装置、駆動方法、および表示装置を提供することが望ましい。
【課題を解決するための手段】
【０００６】
本開示の一実施の形態における駆動装置は、駆動部を備えている。駆動部は、それぞれが電気泳動素子と画素電極とを有する複数の画素のうち、所定色以外の色から所定色に書き換える画素領域の外側の第１の周辺領域に属する第１の画素の画素電極に第１のパルス信号が生じるように第１の画素を駆動するとともに、第１の周辺領域の外側の第２の周辺領域に属する第２の画素の画素電極に第２のパルス信号が生じるように第２の画素を駆動するものである。
【０００７】
本開示の一実施の形態における駆動方法は、それぞれが電気泳動素子と画素電極とを有する複数の画素のうち、所定色以外の色から所定色に書き換える画素領域の外側の第１の周辺領域に属する第１の画素の画素電極に第１のパルス信号が生じるように第１の画素を駆動し、第１の周辺領域の外側の第２の周辺領域に属する第２の画素の画素電極に第２のパルス信号が生じるように第２の画素を駆動するものである。
【０００８】
本開示の一実施の形態における表示装置は、表示部と、駆動部とを備えている。表示部は、それぞれが電気泳動素子と画素電極とを有する複数の画素を有するものである。駆動部は、複数の画素のうち、所定色以外の色から所定色に書き換える画素領域の外側の第１の周辺領域に属する第１の画素の画素電極に第１のパルス信号が生じるように第１の画素を駆動するとともに、第１の周辺領域の外側の第２の周辺領域に属する第２の画素の画素電極に第２のパルス信号が生じるように第２の画素を駆動するものである。
【０００９】
本開示の一実施の形態における駆動装置、駆動方法、および表示装置では、画素領域が、所定色以外の色から所定色に書き換えられる。そして、その画素領域の外側の第１の周辺領域に属する第１の画素が、その第１の画素の画素電極に第１のパルス信号が生じるように駆動される。そして、その第１の周辺領域の外側の第２の周辺領域に属する第２の画素が、その第２の画素の画素電極に第２のパルス信号が生じるように駆動される。
【発明の効果】
【００１０】
本開示の一実施の形態における駆動装置、駆動方法、および表示装置によれば、第１の周辺領域に属する第１の画素の画素電極に第１のパルス信号が生じるように第１の画素を駆動するとともに、第２の周辺領域に属する第２の画素の画素電極に第２のパルス信号が生じるように第２の画素を駆動したので、画質を高めることができる。なお、ここに記載された効果は必ずしも限定されるものではなく、本開示中に記載されたいずれの効果があってもよい。
【図面の簡単な説明】
【００１１】
【図１】本開示の実施の形態に係る表示装置の一構成例を表すブロック図である。
【図２Ａ】図１に示した表示部の一動作例を表す説明図である。
【図２Ｂ】図１に示した表示部の他の動作例を表す説明図である。
【図３Ａ】図１に示した駆動部の一動作例を表す説明図である。
【図３Ｂ】図１に示した駆動部の一動作例を表す他の説明図である。
【図４Ａ】図１に示した表示装置の一動作例を表すタイミング波形図である。
【図４Ｂ】図１に示した表示装置の他の動作例を表すタイミング波形図である。
【図５】参考例に係る表示装置の一動作例を表す説明図である。
【図６Ａ】参考例に係る表示装置の一動作例を表す説明図である。
【図６Ｂ】参考例に係る表示装置の一動作例を表す他の説明図である。
【図７】他の参考例に係る表示装置の一動作例を表す説明図である。
【図８Ａ】他の参考例に係る表示装置の一動作例を表す説明図である。
【図８Ｂ】他の参考例に係る表示装置の一動作例を表す他の説明図である。
【図９】図１に示した表示装置の一動作例を表す説明図である。
【図１０Ａ】図１に示した表示装置の一動作例を表す説明図である。
【図１０Ｂ】図１に示した表示装置の一動作例を表す他の説明図である。
【図１１】図１に示した表示装置の一動作例を表すタイミング波形図である。
【図１２】図１に示した表示装置の他の動作例を表すタイミング波形図である。
【図１３】図１に示した表示装置の一動作例を表すフローチャートである。
【図１４】図１に示した表示装置の一動作例を表す他のフローチャートである。
【図１５】変形例に係る表示装置の一動作例を表すタイミング波形図である。
【図１６】他の変形例に係る表示装置の一動作例を表すタイミング波形図である。
【図１７】他の変形例に係る表示装置の一動作例を表すタイミング波形図である。
【図１８】他の変形例に係る表示装置の一動作例を表すタイミング波形図である。
【図１９】他の変形例に係る表示装置の一動作例を表す説明図である。
【図２０Ａ】他の変形例に係る表示装置の一動作例を表す説明図である。
【図２０Ｂ】他の変形例に係る表示装置の一動作例を表す他の説明図である。
【図２１】他の変形例に係る表示装置の一動作例を表すタイミング波形図である。
【図２２Ａ】適用例１の外観の一例を表す斜視図である。
【図２２Ｂ】適用例１の外観の他の例を表す斜視図である。
【図２３】適用例２の外観を表す斜視図である。
【図２４Ａ】適用例３の外観の一例を表す斜視図である。
【図２４Ｂ】適用例３の外観の他の例を表す斜視図である。
【発明を実施するための形態】
【００１２】
以下、本開示の実施の形態について、図面を参照して詳細に説明する。なお、説明は以下の順序で行う。
１．実施の形態
２．適用例
【００１３】
＜１．実施の形態＞
［構成例］
図１は、一実施の形態に係る表示装置（表示装置１）の一構成例を表すものである。表示装置１は、電気泳動表示素子を用いた双安定の電子光学ディスプレイである。なお、本開示の実施の形態に係る駆動装置および駆動方法は、本実施の形態により具現化されるので、併せて説明する。表示装置１は、表示部２０と、駆動部１０とを備えている。
【００１４】
表示部２０は、複数の画素９がマトリックス状に配置されたものである。また、表示部２０は、水平方向（図１における横方向）に延伸する複数（この例ではＮ本）の走査線ＳＣＬ（走査線ＳＣＬ（１）〜ＳＣＬ（Ｎ））と、垂直方向（図１における縦方向）に延伸する複数の信号線ＳＧＬとを有している。複数の走査線ＳＣＬの一端、および複数の信号線ＳＧＬの一端は、駆動部１０にそれぞれ接続されている。
【００１５】
画素Ｐは、トランジスタ２１と、表示素子２２とを有している。トランジスタ２１は、この例ではＮ型のＭＯＳ（Metal Oxide Semiconductor）トランジスタである。トランジスタ２１のソースは信号線ＳＧＬに接続され、ゲートは走査線ＳＣＬに接続され、ドレインは表示素子２２に接続されている。表示素子２２は、この例では、マイクロカプセル方式の電気泳動素子を含んで構成されるものであり、一端はトランジスタ２１のドレインに接続され、他端には電圧Ｖcom（例えば０Ｖ）が供給されている。
【００１６】
図２Ａ，２Ｂは、表示部２０の一構成例を模式的に表すものであり、図２Ａは画素Ｐが白表示を行う場合を示し、図２Ｂは画素Ｐが黒表示を行う場合を示す。表示部２０は、駆動基板３０と、対向基板４０と、複数のマイクロカプセル２３とを有している。
【００１７】
駆動基板３０は、表示部２０における表示面側とは反対側に配置されるものである。駆動基板３０は、基板３１と、複数の画素電極３２とを有している。基板３１には、図示していないが、トランジスタ２１、走査線ＳＣＬ、および信号線ＳＧＬが形成されている。複数の画素電極３２は、基板３１の表面に、各画素Ｐに１つの割合で形成されている。画素電極３２は、例えば、金（Ａｕ）、銀（Ａｇ）、銅（Ｃｕ）、アルミニウム（Ａｌ）等の金属材料を用いて構成されている。画素電極３２は、トランジスタ２１のドレインに接続されている。そして、この画素電極３２には、信号線駆動部１５により電圧が供給されるようになっている。
【００１８】
対向基板４０は、表示部２０における表示面側に、駆動基板３０に対向するように配置されたものである。対向基板４０は、基板４１と、対向電極４２とを有している。基板４１は、光透過性を有するものである。対向電極４２は、この基板４１の表面に、複数の画素Ｐに対応する領域にわたり一様に形成されている。対向電極４２は、光透過性を有するものであり、例えば、ＩＴＯ（Indium Tin Oxide）等の光透光性導電性材料を用いて構成されるものである。この対向電極４２には、駆動部１０により電圧Ｖcom（例えば０Ｖ）が供給されるようになっている。
【００１９】
マイクロカプセル２３は、表示素子２２に対応するものであり、球形状を有するものである。このマイクロカプセル２３は、駆動基板３０と対向基板４０との間に、各画素Ｐに例えば複数個（例えば４個程度）の割合で配置され、バインダ２６により固定されている。なお、この図２Ａ，２Ｂでは、説明の便宜上、マイクロカプセル２３を各画素Ｐに１つの割合で描いている。マイクロカプセル２３内には、複数の泳動粒子２４Ｗおよび複数の泳動粒子２４Ｂが収容されるとともに、分散媒２５が充填されている。泳動粒子２４Ｗは、白表示を担うものであり、例えば正の電荷を有している。泳動粒子２４Ｂは、黒表示を担うものであり、例えば負の電荷を有している。分散媒２５は、複数の泳動粒子２４Ｗ，２４Ｂをマイクロカプセル２３内に分散させるものである。
【００２０】
この構成により、各画素Ｐでは、画素電極３２の電圧（画素電圧Ｖpix）に応じて電界が生じ、マイクロカプセル２３内の泳動粒子２４Ｗ，２４Ｂが、その電界に応じて、分散媒２５中を移動する。
【００２１】
具体的には、例えば、画素電圧Ｖpixが正の電圧Ｖｐ（例えば＋１５Ｖ）に設定された場合には、泳動粒子２４Ｗは、正の電荷を有するため、マイクロカプセル２３内を対向電極４２に向かって移動し、泳動粒子２４Ｂは、負の電荷を有するため、マイクロカプセル２３内を画素電極３２に向かって移動する。よって、例えば画素電圧Ｖpixが長い時間にわたり電圧Ｖｐに設定された場合には、図２Ａに示したように、白表示を担う泳動粒子２４Ｗが表示面Ｓ側に集まるため、画素Ｐは白表示を行う。
【００２２】
また、例えば、画素電圧Ｖpixが負の電圧Ｖｍ（例えば−１５Ｖ）に設定された場合には、泳動粒子２４Ｂは、負の電荷を有するため、マイクロカプセル２３内を対向電極４２に向かってに移動し、泳動粒子２４Ｗは、正の電荷を有するため、マイクロカプセル２３内を画素電極３２に向かって移動する。よって、例えば画素電圧Ｖpixが長い時間にわたり電圧Ｖｍに設定された場合には、図２Ｂに示したように、黒表示を担う泳動粒子２４Ｂが表示面Ｓ側に集まるため、画素Ｐは黒表示を行う。
【００２３】
また、電圧Ｖｐ，Ｖｍを印加する時間の長さに応じて、画素Ｐは、黒表示および白表示の間の中間階調表示を行うことができる。また、例えば、画素電圧Ｖpixが電圧Ｖcomと同じ電圧（例えば０Ｖ）である場合には、泳動粒子２４Ｗ，２４Ｂは移動しないため、画素Ｐは、表示状態を維持することができるようになっている。
【００２４】
なお、この例では、泳動粒子２４Ｗが白表示を担い、泳動粒子２４Ｂが黒表示を担うようにしたが、これに限定されるものではなく、泳動粒子２４Ｗが明表示を担い、泳動粒子２４Ｂが暗表示を担うのであれば、どのような色であってもよい。また、この例では、泳動粒子２４Ｗが正の電荷を有し、泳動粒子２４Ｂが負の電荷を有するようにしたが、これに限定されるものではなく、これに代えて、例えば、泳動粒子２４Ｂが正の電荷を有し、泳動粒子２４Ｗが負の電荷を有するようにしてもよい。この場合には、画素Ｐの画素電圧Ｖpixが正の電圧Ｖｐに設定された場合にその画素Ｐは黒表示を行い、画素Ｐの画素電圧Ｖpixが負の電圧Ｖｍにその画素Ｐは白表示を行う。
【００２５】
駆動部１０（図１）は、表示部２０を駆動するものである。温度センサ１１と、記憶部１２と、処理部１３と、走査線駆動部１４と、信号線駆動部１５とを有している。
【００２６】
温度センサ１１は、表示部２０の温度を検出するものである。
【００２７】
記憶部１２は、例えば不揮発性メモリを用いて構成されるものであり、画像データＤpic、周辺領域情報ＩＲＢ、複数のパラメータセットＰＳ１、および複数のパラメータセットＰＳ２を記憶するものである。画像データＤpicは、１フレーム分の画素値を含むものである。周辺領域情報ＩＲＢは、周辺領域ＲＢ１，ＲＢ２（後述）に属する画素Ｐの座標についての情報である。パラメータセットＰＳ１は、周辺領域ＲＢ１に属する画素Ｐに供給する信号を生成するための設定値を含むものである。この例では、温度に応じて異なる信号を生成することができるように、複数のパラメータセットＰＳ１が記憶されている。パラメータセットＰＳ２は、周辺領域ＲＢ２に属する画素Ｐに供給する信号を生成するための設定値を含むものである。この例では、温度に応じて異なる信号を生成することができるように、複数のパラメータセットＰＳ２が記憶されている。
【００２８】
処理部１３は、外部から供給された画像信号Ｓpicに基づいて、所定の信号処理を行うものである。具体的には、処理部１３は、画像信号Ｓpicに含まれる１フレーム分の画素値（画像データＤpic）を、記憶部１２に記憶させる。そして、処理部１３は、画像データＤpicに基づいて、走査線駆動部１４および信号線駆動部１５を制御することにより、表示部２０に画像を表示させる。また、処理部１３は、画像データＤpicに基づいて、黒表示や中間階調表示（すなわち白表示以外の表示）を行う画素領域ＲＡを検出するとともに、その画素領域ＲＡの周辺領域ＲＢ１と、その周辺領域ＲＢ１の外側の周辺領域ＲＢ２とを検出する機能をも有している。
【００２９】
図３Ａは、周辺領域ＲＢ１の検出例を表すものであり、図３Ｂは、周辺領域ＲＢ２の検出例を表すものである。この図３Ａ，３Ｂにおいて、網掛けされた部分は、白表示以外の表示を行う画素領域ＲＡを示し、網掛けされていない部分は、白表示を行う画素領域を示す。
【００３０】
処理部１３は、画像データＤpicに含まれる、各画素Ｐでの画素値に基づいて、まず、白表示以外の表示を行う画素領域ＲＡを検出する。そして、処理部１３は、エッジ検出処理を行うことにより、その画素領域ＲＡの周辺領域ＲＢ１を検出する（図３Ａ）。さらに、処理部１３は、その周辺領域ＲＢ１の外側の周辺領域ＲＢ２を検出する（図３Ｂ）。
【００３１】
このようにして、処理部１３は、画像データＤpicに基づいて、画素領域ＲＡおよび周辺領域ＲＢ１，ＲＢ２を検出する。そして、処理部１３は、この周辺領域ＲＢ１，ＲＢ２に属する画素Ｐの座標についての情報を、周辺領域情報ＩＲＢとして記憶部１２に記憶させるようになっている。
【００３２】
また、処理部１３は、画像データＤpicおよび温度センサ１１における検出結果に基づいて、表示部２０に対する描画処理を行う。その際、処理部１３は、一つ前の画像データＤpicに基づいて生成した周辺領域情報ＩＲＢに基づいて、周辺領域ＲＢ１，ＲＢ２における描画を行う。具体的には、処理部１３は、温度センサ１１における検出結果に基づいて、記憶部１２に記憶された複数のパラメータセットＰＳ１のうちの１つを選択し、その選択されたパラメータセットＰＳ１に基づいて、周辺領域ＲＢ１に属する画素Ｐに供給する信号を生成するように、信号線駆動部１５を制御する。同様に、処理部１３は、温度センサ１１における検出結果に基づいて、記憶部１２に記憶された複数のパラメータセットＰＳ２のうちの１つを選択し、その選択されたパラメータセットＰＳ２に基づいて、周辺領域ＲＢ２に属する画素Ｐに供給する信号を生成するように、信号線駆動部１５を制御するようになっている。
【００３３】
処理部１３は、例えば、ハードウェアにより構成してもよいし、プログラムを実行可能なプロセッサを用いて構成してもよい。
【００３４】
走査線駆動部１４は、処理部１３から供給された信号に基づいて、複数の走査線ＳＣＬに対して走査信号Ｓｃを印加することにより、画素Ｐを行単位で順次選択するものである。
【００３５】
信号線駆動部１５は、処理部１３から供給された信号に基づいて、３つの電圧Ｖｐ，Ｖｍ，Ｖcomを含む信号Ｓigを生成するものである。そして、信号線駆動部１５は、この信号Ｓigを、各信号線ＳＧＬに印加する。これにより、走査線駆動部１４により選択された画素Ｐでは、この信号Ｓigに基づいて、画素電極３２の電圧（画素電圧Ｖpix）が設定されるようになっている。
【００３６】
ここで、周辺領域ＲＢ１は、本開示における「第１の周辺領域」の一具体例に対応する。周辺領域ＲＢ２は、本開示における「第２の周辺領域」の一具体例に対応する。
【００３７】
［動作および作用］
続いて、本実施の形態の表示装置１の動作および作用について説明する。
【００３８】
（全体動作概要）
まず、図１を参照して、表示装置１の全体動作概要を説明する。温度センサ１１は、表示部２０の温度を検出する。記憶部１２は、画像データＤpic、周辺領域情報ＩＲＢ、複数のパラメータセットＰＳ１、および複数のパラメータセットＰＳ２を記憶する。処理部１３は、画像信号Ｓpicに基づいて、所定の信号処理を行う。具体的には、処理部１３は、画像信号Ｓpicに含まれる１フレーム分の画素値を、画像データＤpicとして記憶部１２に記憶させる。そして、処理部１３は、画像データＤpicに基づいて、走査線駆動部１４および信号線駆動部１５を制御することにより、表示部２０に画像を表示させる。また、処理部１３は、画像データＤpicに基づいて、例えば黒表示など、白表示以外の表示を行う画素領域ＲＡを検出するとともに、その画素領域ＲＡの周辺領域ＲＢ１と、その周辺領域ＲＢ１の外側の周辺領域ＲＢ２とを検出し、周辺領域ＲＢ１，ＲＢ２に属する画素Ｐの座標についての情報を、周辺領域情報ＩＲＢとして記憶部１２に記憶させる。そして、処理部１３は、画像データＤpicおよび温度センサ１１における検出結果に基づいて、表示部２０に対する描画処理を行う。その際、処理部１３は、一つ前の画像データＤpicに基づいて生成した周辺領域情報ＩＲＢに基づいて、周辺領域ＲＢ１，ＲＢ２における描画を行う。具体的には、処理部１３は、温度センサ１１における検出結果に基づいて、記憶部１２に記憶された複数のパラメータセットＰＳ１のうちの１つを選択し、その選択されたパラメータセットＰＳ１に基づいて、周辺領域ＲＢ１に属する画素Ｐに供給する信号を生成するように、信号線駆動部１５を制御する。同様に、処理部１３は、温度センサ１１における検出結果に基づいて、記憶部１２に記憶された複数のパラメータセットＰＳ２のうちの１つを選択し、その選択されたパラメータセットＰＳ２に基づいて、周辺領域ＲＢ２に属する画素Ｐに供給する信号を生成するように、信号線駆動部１５を制御する。走査線駆動部１４は、処理部１３から供給された信号に基づいて、複数の走査線ＳＣＬに対して走査信号Ｓｃを印加することにより、画素Ｐを行単位で順次選択する。信号線駆動部１５は、処理部１３から供給された信号に基づいて、３つの電圧Ｖｐ，Ｖｍ，Ｖcomを含む信号Ｓigを生成し、この信号Ｓigを、各信号線ＳＧＬに印加する。表示部２０は、駆動部１０による駆動に基づいて、画像を表示する。
【００３９】
（詳細動作）
図４Ａは、表示状態が黒表示から白表示に変化する場合の表示装置１の一動作例を表すものであり、（Ａ）は走査信号Ｓｃ（１）〜Ｓｃ（Ｎ）の波形を示し、（Ｂ）は画素Ｐ（１）〜Ｐ（Ｎ）における画素電圧Ｖpix（１）〜Ｖpix（Ｎ）を示し、（Ｃ）は画素Ｐ（１）〜Ｐ（Ｎ）の表示状態を示す。ここで、例えば、画素Ｐ（１）は、表示部２０における最初の１行目の複数の画素Ｐのうちの１つであり、画素Ｐ（Ｎ）は、表示部２０における最後のＮ行目の複数の画素Ｐのうちの１つである。また、例えば、走査信号Ｓｃ（１）は、画素Ｐ（１）に対応する走査線ＳＣＬ（１）に印加される走査信号Ｓｃであり、走査信号Ｓｃ（Ｎ）は、画素Ｐ（Ｎ）に対応する走査線ＳＣＬ（Ｎ）に印加される走査信号Ｓｃである。
【００４０】
この例では、表示装置１では、タイミングｔ１〜ｔ９の期間（描画期間ＰＷ）において表示部２０に対する描画処理が行われ、各画素Ｐの画素電圧Ｖpixが負の電圧Ｖｍに順次設定される。以下に、この動作について詳細に説明する。
【００４１】
まず、タイミングｔ１〜ｔ３の期間（フレーム期間１Ｆ）において、走査線駆動部１４は、走査線ＳＣＬ（１）〜ＳＣＬ（Ｎ）に対して、走査信号Ｓｃ（１）〜Ｓｃ（Ｎ）を印加することにより、画素Ｐを行単位で順次選択する（図４Ａ（Ａ））。
【００４２】
例えば、タイミングｔ１〜ｔ２の期間（水平期間１Ｈ）において、走査信号Ｓｃ（１）は高レベルになる。これにより、画素Ｐ（１）のトランジスタ２１がオン状態になり、画素Ｐ（１）の画素電圧Ｖpix（１）が信号Ｓigの電圧（この例では電圧Ｖｐ）に設定される（図４Ａ（Ｂ））。そして、タイミングｔ２において、走査信号Ｓｃ（１）は高レベルから低レベルに変化する。これに伴い、画素Ｐ（１）のトランジスタ２１がオフ状態になる。これにより、画素Ｐ（１）の画素電極３２はフローティング状態になり、画素電圧Ｖpix（１）はこれ以降も電圧Ｖｐに維持される。そして、画素Ｐ（１）における表示状態は、黒表示から白表示に向かって変化し始める（図４Ａ（Ｃ））。
【００４３】
同様に、画素Ｐ（２）〜Ｐ（Ｎ）の画素電圧Ｖpix（２）〜Ｖpix（Ｎ）は、このタイミングｔ１〜ｔ３の期間（フレーム期間１Ｆ）において、電圧Ｖｐに順次設定される（図４Ａ（Ｂ））。そして、画素Ｐ（２）〜Ｐ（Ｎ）における表示状態は、黒表示から白表示に向かって順次変化し始める（図４Ａ（Ｃ））。
【００４４】
その後、タイミングｔ３〜ｔ７の期間において、表示装置１は、複数のフレーム期間１Ｆにわたり、同様に動作する。これにより、画素Ｐ（１）〜Ｐ（Ｎ）の画素電圧Ｖpix（１）〜Ｖpix（Ｎ）は、それぞれ電圧Ｖｐに維持され（図４Ａ（Ｂ））、画素Ｐ（１）〜Ｐ（Ｎ）における表示状態は、白表示に向かって引き続き変化し続ける（図４Ａ（Ｃ））。その結果、タイミングｔ７において、画素Ｐ（１）〜Ｐ（Ｎ）は白表示を行うようになる。
【００４５】
そして、タイミングｔ７〜ｔ９の期間（フレーム期間１Ｆ）において、走査線駆動部１４は、走査線ＳＣＬ（１）〜ＳＣＬ（Ｎ）に対して、走査信号Ｓｃ（１）〜Ｓｃ（Ｎ）を印加することにより、画素Ｐを行単位で順次選択する（図４Ａ（Ａ））。
【００４６】
例えば、タイミングｔ７〜ｔ８の期間（水平期間１Ｈ）において、走査信号Ｓｃ（１）は高レベルになる。これにより、画素Ｐ（１）のトランジスタ２１がオン状態になり、画素Ｐ（１）の画素電圧Ｖpix（１）が信号Ｓigの電圧（この例では電圧Ｖcom）に設定される（図４Ａ（Ｂ））。そして、タイミングｔ８において、走査信号Ｓｃ（１）は高レベルから低レベルに変化する。これに伴い、画素Ｐ（１）のトランジスタ２１がオフ状態になる。これにより、画素Ｐ（１）の画素電極３２はフローティング状態になり、画素電圧Ｖpix（１）はこれ以降も電圧Ｖcomに維持される。その結果、画素Ｐ（１）における表示状態は、これ以降、白表示に維持される（図４Ａ（Ｃ））。
【００４７】
同様に、画素Ｐ（２）〜Ｐ（Ｎ）の画素電圧Ｖpix（２）〜Ｖpix（Ｎ）は、このタイミングｔ７〜ｔ８の期間（水平期間１Ｈ）において、電圧Ｖcomに順次設定される（図４Ａ（Ｂ））。そして、画素Ｐ（２）〜Ｐ（Ｎ）における表示状態は、白表示に維持される（図４Ａ（Ｃ））。
【００４８】
図４Ｂは、表示状態が白表示から黒表示に変化する場合の表示装置１の一動作例を表すものであり、（Ａ）は走査信号Ｓｃ（１）〜Ｓｃ（Ｎ）の波形を示し、（Ｂ）は画素Ｐ（１）〜Ｐ（Ｎ）における画素電圧Ｖpix（１）〜Ｖpix（Ｎ）を示し、（Ｃ）は画素Ｐ（１）〜Ｐ（Ｎ）の表示状態を示す。
【００４９】
まず、タイミングｔ１〜ｔ３の期間（フレーム期間１Ｆ）において、走査線駆動部１４は、走査線ＳＣＬ（１）〜ＳＣＬ（Ｎ）に対して、走査信号Ｓｃ（１）〜Ｓｃ（Ｎ）を印加することにより、画素Ｐを行単位で順次選択する（図４Ｂ（Ａ））。これにより、画素Ｐ（１）〜Ｐ（Ｎ）の画素電圧Ｖpix（１）〜Ｖpix（Ｎ）は、このタイミングｔ１〜ｔ３の期間（フレーム期間１Ｆ）において、電圧Ｖｍに順次設定される（図４Ｂ（Ｂ））。そして、画素Ｐ（１）〜Ｐ（Ｎ）における表示状態は、白表示から黒表示に向かって順次変化し始める（図４Ｂ（Ｃ））。
【００５０】
その後、タイミングｔ３〜ｔ７の期間において、表示装置１は、複数のフレーム期間１Ｆにわたり、同様に動作する。これにより、画素Ｐ（１）〜Ｐ（Ｎ）の画素電圧Ｖpix（１）〜Ｖpix（Ｎ）は、それぞれ電圧Ｖｍに維持され（図４Ｂ（Ｂ））、画素Ｐ（１）〜Ｐ（Ｎ）における表示状態は、黒表示に向かって引き続き変化し続ける（図４Ｂ（Ｃ））。その結果、タイミングｔ７において、画素Ｐ（１）〜Ｐ（Ｎ）は黒表示を行うようになる。
【００５１】
そして、タイミングｔ７〜ｔ９の期間（フレーム期間１Ｆ）において、走査線駆動部１４は、走査線ＳＣＬ（１）〜ＳＣＬ（Ｎ）に対して、走査信号Ｓｃ（１）〜Ｓｃ（Ｎ）を印加することにより、画素Ｐを行単位で順次選択する（図４Ｂ（Ａ））。これにより、画素Ｐ（１）〜Ｐ（Ｎ）の画素電圧Ｖpix（１）〜Ｖpix（Ｎ）は、このタイミングｔ７〜ｔ９の期間（フレーム期間１Ｆ）において、電圧Ｖcomに順次設定される（図４Ｂ（Ｂ））。そして、画素Ｐ（１）〜Ｐ（Ｎ）における表示状態は、黒表示に維持される（図４Ｂ（Ｃ））。
【００５２】
このようにして、表示装置１では、複数のフレーム期間１Ｆを含む描画期間ＰＷにおいて、描画処理が行われる。
【００５３】
図４Ａ，４Ｂの例では、表示装置１の全ての画素Ｐの表示状態を変化させた。一方、表示画像の一部を書き換える場合には、その一部の画像に係る画素Ｐの表示状態を変化させ、その他の画素Ｐの表示状態を維持する。具体的には、表示状態を変化させる画素Ｐに対してのみ、電圧Ｖｐ，Ｖｍを供給し、表示状態を維持する画素Ｐに対しては電圧Ｖcomを供給することが望ましい。これにより、表示装置１は、全ての画素Ｐの表示状態を設定しなおす場合に比べて、表示画像のちらつきを抑えることができる。
【００５４】
このように、表示状態を変化させる画素Ｐのみを部分的に書き換える場合には、以下に説明するように、いわゆるエッジゴーストが発生するおそれがある。以下に、エッジゴーストが発生し得る２つの参考例Ｅ１，Ｅ２について説明する。
【００５５】
図５は、参考例Ｅ１に係る表示画像を示し、（Ａ）は四角形の黒色のオブジェクトＯＢＪ１を表示させた場合における表示例を示し、（Ｂ）はこの黒色のオブジェクトＯＢＪ１を白色のオブジェクトＯＢＪ２に書き換えた場合における表示例を示す。図６Ａは、図５（Ａ）における、画素ＰＡ，ＰＢ１，ＰＢ２の状態を表すものである。図６Ｂは、図５（Ｂ）における、画素ＰＡ，ＰＢ１，ＰＢ２の状態を表すものである。画素ＰＡは、オブジェクトＯＢＪ１を表示する画素領域ＲＡに属する画素Ｐであり、画素ＰＢ１は、この画素領域ＲＡの周辺領域ＲＢ１に属する画素Ｐであり、画素ＰＢ２は、周辺領域ＲＢ１の外側の周辺領域ＲＢ２に属する画素Ｐである。
【００５６】
例えば、表示部２０が画面全体にわたり白表示を行っている状態において、次に、表示部２０に、図５（Ａ）に示したように、黒色のオブジェクトＯＢＪ１を表示させる場合には、画素領域ＲＡに属する画素Ｐの画素電圧Ｖpixは負の電圧Ｖｍに設定される。その際、周辺領域ＲＢ１，ＲＢ２に属する画素Ｐの画素電圧Ｖpixは、この例ではともに電圧Ｖcomに設定される。この場合には、図６Ａに示したように、画素ＰＡは黒表示を行うことができる。このとき、この画素ＰＡが生成した電界の一部が、画素ＰＡの近傍の画素Ｐにも入り込み、その電界に応じて、この近傍の画素Ｐにおいて泳動粒子２４Ｂ，２４Ｗが移動するおそれがある。この例では、画素ＰＡの隣の画素ＰＢ１において、一部の泳動粒子２４Ｂが対向電極４２に向かって移動するとともに、一部の泳動粒子２４Ｗが画素電極３２に向かって移動している。これにより、この画素ＰＢ１は、例えば灰色表示を行う。その結果、図５（Ａ）に示したように、オブジェクトＯＢＪ１の周囲に、灰色のリングが表示される。
【００５７】
次に、表示部２０に、図５（Ｂ）に示したように、このオブジェクトＯＢＪ１に重ねるように白いオブジェクトＯＢＪ２を表示させる場合には、画素領域ＲＡに属する画素ＰＡの画素電圧Ｖpixは正の電圧Ｖｐに設定される。その際、周辺領域ＲＢ１，ＲＢ２に属する画素ＰＢ１，ＰＢ２の画素電圧Ｖpixは、この例ではともに電圧Ｖcomに設定される。この場合には、図６Ｂに示したように、画素ＰＡは白表示を行うことができる。しかしながら、この例では、画素ＰＢ１において、一部の泳動粒子２４Ｂは画素電極３２の近くに戻っておらず、一部の泳動粒子２４Ｗは対向電極４２の近くに戻っていない。その結果、図５（Ｂ）に示したように、オブジェクトＯＢＪ２の周囲に、灰色のリングが残ってしまう。すなわち、黒色のオブジェクトＯＢＪ１を白色のオブジェクトＯＢＪ２に書き換えることにより、表示部２０が一面にわたり白表示を行うことが期待されるが、この例では、灰色のリングが、エッジゴーストとして表示されてしまう。
【００５８】
このようなエッジゴーストを抑えるため、周辺領域ＲＢ１に属する画素Ｐの画素電圧Ｖpixを、例えば短い時間だけ電圧Ｖｐに設定する方法が考えられる。以下に、この方法を用いた場合の参考例Ｅ２について説明する。
【００５９】
図７は、参考例Ｅ２に係る表示画像を示し、（Ａ）は四角形の黒色のオブジェクトＯＢＪ１を表示させた場合における表示例を示し、（Ｂ）はこの黒色のオブジェクトＯＢＪ１を白色のオブジェクトＯＢＪ２に書き換えた場合における表示例を示す。図８Ａは、図７（Ａ）における、画素ＰＡ，ＰＢ１，ＰＢ２の状態を表すものである。図８Ｂは、図７（Ｂ）における、画素ＰＡ，ＰＢ１，ＰＢ２の状態を表すものである。
【００６０】
この例でも、表示部２０に黒色のオブジェクトＯＢＪ１を表示させる場合に、画素領域ＲＡに属する画素Ｐの画素電圧Ｖpixは負の電圧Ｖｍに設定され、周辺領域ＲＢ１，ＲＢ２に属する画素Ｐの画素電圧Ｖpixは、ともに電圧Ｖcomに設定される。これにより、図７（Ａ）、８Ａに示したように、オブジェクトＯＢＪ１の周囲に、灰色のリングが表示される。
【００６１】
次に、表示部２０に、図７（Ｂ）に示したように、このオブジェクトＯＢＪ１に重ねるように白いオブジェクトＯＢＪ２を表示させる場合に、画素領域ＲＡに属する画素Ｐの画素電圧Ｖpixは正の電圧Ｖｐに設定される。その際、この例では、周辺領域ＲＢ１に属する画素Ｐの画素電圧Ｖpixは、短い時間だけ電圧Ｖｐに設定される。なお、周辺領域ＲＢ２に属する画素Ｐの画素電圧Ｖpixは、電圧Ｖcomに設定される。この場合には、図８Ｂに示したように、例えば、画素ＰＡ，ＰＢ１は白表示を行うことができる。しかしながら、画素ＰＢ１が生成した電界の一部が、画素ＰＡの近傍の画素Ｐにも入り込み、その電界に応じて、この近傍の画素Ｐにおいて、泳動粒子２４Ｂ，２４Ｗが移動するおそれがある。この例では、画素ＰＢ１の隣の画素ＰＢ２において、一部の泳動粒子２４Ｂが対向電極４２に向かって移動するとともに、一部の泳動粒子２４Ｗが画素電極３２に向かって移動している。これにより、この画素ＰＢ２は、例えば灰色表示を行う。その結果、図７（Ｂ）に示したように、灰色のリングが、エッジゴーストとして表示されてしまう。
【００６２】
このような現象は、泳動粒子２４Ｂ，２４Ｗの移動速度が速いマイクロカプセル２３を用いた場合に顕著になる。すなわち、短時間で画像を書き換える場合には、泳動粒子２４Ｂ，２４Ｗの移動速度を速くすることが望まれるが、その場合には、このようにエッジコーストが生じやすくなるおそれがある。
【００６３】
そこで、本実施の形態に係る表示装置１では、周辺領域ＲＢ１に属する画素Ｐの画素電圧Ｖpixを、例えば短い時間だけ電圧Ｖｐに設定し、周辺領域ＲＢ２に属する画素Ｐの画素電圧Ｖpixを、例えばさらに短い時間だけ電圧Ｖｐに設定する。
【００６４】
図９は、本実施の形態に係る表示画像を示し、（Ａ）は四角形の黒色のオブジェクトＯＢＪ１を表示させた場合における表示例を示し、（Ｂ）はこの黒色のオブジェクトＯＢＪ１を白色のオブジェクトＯＢＪ２に書き換えた場合における表示例を示す。図１０Ａは、図９（Ａ）における、画素ＰＡ，ＰＢ１，ＰＢ２の状態を表すものである。図１０Ｂは、図９（Ｂ）における、画素ＰＡ，ＰＢ１，ＰＢ２の状態を表すものである。
【００６５】
表示部２０に黒色のオブジェクトＯＢＪ１を表示させる場合に、駆動部１０は、画素領域ＲＡに属する画素Ｐの画素電圧Ｖpixを負の電圧Ｖｍに設定し、周辺領域ＲＢ１，ＲＢ２に属する画素Ｐの画素電圧Ｖpixを、ともに電圧Ｖcomに設定する。これにより、図９（Ａ）、１０Ａに示したように、オブジェクトＯＢＪ１の周囲に、灰色のリングが表示される。
【００６６】
次に、表示部２０に、このオブジェクトＯＢＪ１に重ねるように白いオブジェクトＯＢＪ２を表示させる場合に、駆動部１０は、画素領域ＲＡに属する画素Ｐの画素電圧Ｖpixを正の電圧Ｖｐに設定する。その際、駆動部１０は、周辺領域ＲＢ１に属する画素Ｐの画素電圧Ｖpixを、例えば短い時間だけ電圧Ｖｐに設定し、周辺領域ＲＢ２に属する画素Ｐの画素電圧Ｖpixを、例えばさらに短い時間だけ電圧Ｖｐに設定する。
【００６７】
図１１は、画素電圧Ｖpixの波形例を表すものであり、（Ａ）は画素ＰＡの画素電圧Ｖpix（ＰＡ）の波形を示し、（Ｂ）は画素ＰＢ１の画素電圧Ｖpix（ＰＢ１）の波形を示し、（Ｃ）は画素ＰＢ２の画素電圧Ｖpix（ＰＢ２）の波形を示す。この例では、タイミングｔ１１〜ｔ１６の期間（描画期間ＰＷ）において、駆動部１０は表示部２０に対して描画処理を行う。具体的には、まず、タイミングｔ１２において、駆動部１０は、画素ＰＡの画素電圧Ｖpix（ＰＡ）を正の電圧Ｖｐに設定する（図１１（Ａ））。そして、タイミングｔ１３において、駆動部１０は、画素ＰＢ１の画素電圧Ｖpix（ＰＢ１）を正の電圧Ｖｐに設定する（図１１（Ｂ））。そして、タイミングｔ１４において、駆動部１０は、画素ＰＢ２の画素電圧Ｖpix（ＰＢ２）を正の電圧Ｖｐに設定する（図１１（Ｃ））。そして、タイミングｔ１５において、駆動部１０は、画素電圧Ｖpix（ＰＡ），Ｖpix（ＰＢ１），Ｖpix（ＰＢ２）を電圧Ｖcomに設定する（図１１（Ａ）〜（Ｃ））。
【００６８】
ここで、画素ＰＢ１の画素電圧Ｖpix（ＰＢ１）は、本開示における「第１のパルス信号」の一具体例に対応する。画素ＰＢ２の画素電圧Ｖpix（ＰＢ２）は、本開示における「第２のパルス信号」の一具体例に対応する。画素ＰＡの画素電圧Ｖpix（ＰＡ））は、本開示における「第４のパルス信号」の一具体例に対応する。
【００６９】
このように、駆動部１０は、周辺領域ＲＢ１に属する画素Ｐの画素電圧Ｖpixを、短い時間だけ電圧Ｖｐに設定し、周辺領域ＲＢ２に属する画素Ｐの画素電圧Ｖpixを、さらに短い時間だけ電圧Ｖｐに設定する。これにより、表示装置１では、図１０Ｂに示したように、例えば画素ＰＢ１，ＰＢ２が灰色表示を行うおそれを低減することができるため、図９（Ｂ）に示したように、エッジゴーストが生じるおそれを低減することができる。
【００７０】
この例では、黒色のオブジェクトＯＢＪ１を表示したが、これに限定されるものではなく、中間階調色のオブジェクトＯＢＪ１を表示してもよい。
【００７１】
図１２は、中間階調色のオブジェクトＯＢＪ１を表示した後に白色のオブジェクトＯＢＪ２を表示する場合の、画素電圧Ｖpixの波形例を表すものであり、（Ａ）は画素ＰＡの画素電圧Ｖpix（ＰＡ）の波形を示し、（Ｂ）は画素ＰＢ１の画素電圧Ｖpix（ＰＢ１）の波形を示し、（Ｃ）は画素ＰＢ２の画素電圧Ｖpix（ＰＢ２）の波形を示す。この例では、タイミングｔ２１〜ｔ２７の期間（描画期間ＰＷ）において、駆動部１０は表示部２０に対して描画処理を行う。具体的には、まず、駆動部１０は、タイミングｔ２２において、画素ＰＡの画素電圧Ｖpix（ＰＡ）を負の電圧Ｖｍに設定し、タイミングｔ２３において、画素電圧Ｖpix（ＰＡ）を正の電圧Ｖｐに設定する（図１２（Ａ））。すなわち、この例では、中間階調色のオブジェクトＯＢＪ１を表示した後に、白色のオブジェクトＯＢＪ２を表示するため、画素ＰＡの表示状態を一旦黒表示にした後に、白表示にする。また、駆動部１０は、タイミングｔ２４において、画素電圧Ｖpix（ＰＢ１）を正の電圧Ｖｐに設定し（図１２（Ｂ））、タイミングｔ２５において、画素電圧Ｖpix（ＰＢ２）を正の電圧Ｖｐに設定する（図１２（Ｃ））。そして、タイミングｔ２６において、駆動部１０は、画素電圧Ｖpix（ＰＡ），Ｖpix（ＰＢ１），Ｖpix（ＰＢ２）を電圧Ｖcomに設定する（図１２（Ａ）〜（Ｃ））。
【００７２】
この場合でも、表示装置１では、例えば画素ＰＢ１，ＰＢ２が灰色表示を行うおそれを低減することができるため、エッジゴーストが生じるおそれを低減することができる。
【００７３】
次に、ある画像データＤpicを受け取ったときの駆動部１０の動作について、詳細に説明する。
【００７４】
図１３は、駆動部１０の一動作例を表すものである。駆動部１０は、受け取った画像データＤpicに基づいて、表示部２０に対する描画処理を行う。その際、駆動部１０は、一つ前の画像データＤpicに基づいて生成した周辺領域情報ＩＲＢに基づいて、周辺領域ＲＢ１，ＲＢ２における描画を行う。以下に、この動作について詳細に説明する。
【００７５】
まず、駆動部１０は、画像データＤpicを受け取ると、その画像データＤpicに基づいて、周辺領域ＲＢ１，ＲＢ２以外の領域における、表示状態を変化させる各画素Ｐに対して駆動を開始する（ステップＳ１０１）。具体的には、処理部１３は、まず、画像データＤpicを受け取ると、その画像データＤpicを記憶部１２に記憶する。また、処理部１３は、記憶部１２に記憶された周辺領域情報ＩＲＢに基づいて、周辺領域ＲＢ１，ＲＢ２を特定する。そして、駆動部１０は、画像データＤpicに基づいて、周辺領域ＲＢ１，ＲＢ２以外の領域における、表示状態を変化させる各画素Ｐに対して、駆動を開始する。
【００７６】
次に、処理部１３は、周辺領域ＲＢ１，ＲＢ２に属する画素Ｐのうちの１つを、処理の対象となる対象画素ＰＺとして選択する（ステップＳ１０２）。
【００７７】
次に、処理部１３は、温度センサ１１における検出結果に基づいて、表示部２０の温度Ｔを取得する（ステップＳ１０３）。
【００７８】
次に、処理部１３は、画像データＤpicに基づいて、対象画素ＰＺにおける画素値が白表示を指示しているか否かを確認する（ステップＳ１０４）。対象画素ＰＺにおける画素値が、中間階調表示や黒表示を指示している場合（ステップＳ１０４において“Ｎ”）には、駆動部１０は、対象画素ＰＺに対して、その画素値に応じた駆動を開始し（ステップＳ１０５）、ステップＳ１１０に進む。
【００７９】
ステップＳ１０４において、対象画素ＰＺにおける画素値が、白表示を指示している場合（ステップＳ１０４において“Ｙ”）には、処理部１３は、対象画素ＰＺが周辺領域ＲＢ１に属する画素であるか否かを確認する（ステップＳ１０６）。対象画素ＰＺが周辺領域ＲＢ１に属する画素である場合（ステップＳ１０６において“Ｙ”）には、処理部１３は、ステップＳ１０３において取得した温度Ｔに基づいて、記憶部１２に記憶された複数のパラメータセットＰＳ１から、その温度Ｔに応じたパラメータセットＰＳ１を選択する（ステップＳ１０７）。また、対象画素ＰＺが周辺領域ＲＢ１に属する画素ではない場合（ステップＳ１０６において“Ｎ”）には、処理部１３は、ステップＳ１０３において取得した温度Ｔに基づいて、記憶部１２に記憶された複数のパラメータセットＰＳ２から、その温度Ｔに応じたパラメータセットＰＳ２を選択する（ステップＳ１０８）。
【００８０】
次に、駆動部１０は、対象画素ＰＺに対する駆動を行う（ステップＳ１０９）
【００８１】
図１４は、対象画素ＰＺに対する駆動動作を表すものである。まず、処理部１３は、ステップＳ１０１において駆動を開始した、周辺領域ＲＢ１，ＲＢ２以外の領域の画素Ｐに対する駆動をすでに終了しているか否かを確認する（ステップＳ１２１）。具体的には、例えば、図１１の例では、処理部１３は、この処理を行っているタイミングがタイミングｔ１２より前である場合には、画素ＰＡに対する駆動をまだ開始しておらず、タイミングｔ１２〜ｔ１５の期間内である場合には、画素ＰＡに対する駆動を行っている。よって、この処理を行っているタイミングがタイミングｔ１５より前である場合には、処理部１３は、画素ＰＡに対する駆動をまだ終了していないと判断する。一方、この処理を行っているタイミングがタイミングｔ１５より後である場合には、処理部１３は、画素ＰＡに対する駆動をすでに終了していると判断する。このようにして、処理部１３は、周辺領域ＲＢ１，ＲＢ２以外の領域の画素Ｐに対する駆動をすでに終了しているか否かを確認する。駆動をすでに終了している場合（ステップＳ１２１において“Ｙ”）には、ステップＳ１２４に進む。
【００８２】
ステップＳ１２１において、駆動をまだ終了していない場合（ステップＳ１２１において“Ｎ”）には、処理部１３は、周辺領域ＲＢ１，ＲＢ２以外の領域の画素Ｐに対する駆動終了タイミングと、対象画素ＰＺに対する駆動終了タイミングとを一致させることができるか否かを確認する（ステップＳ１２２）。具体的には、処理部１３は、まず、ステップＳ１０８，Ｓ１０９において選択されたパラメータセットに基づいて、対象画素ＰＺに対する駆動時間を求める。具体的には、例えば、図１１の例において、対象画素ＰＺが画素ＰＢ１である場合には、処理部１３は、ステップＳ１０８，Ｓ１０９において選択されたパラメータセットに基づいて、駆動時間ＴＢ１（タイミングｔ１３〜ｔ１５の期間の時間長）を求める。そして、処理部１３は、例えば、この処理を行っているタイミングが、タイミングｔ１５からこの駆動時間ＴＢ１だけさかのぼったタイミングｔ１３より前である場合には、周辺領域ＲＢ１，ＲＢ２以外の領域の画素Ｐ（例えば画素ＰＡ）に対する駆動終了タイミングと、対象画素ＰＺ（例えば画素ＰＢ１）に対する駆動終了タイミングとを一致させることができると判断する。一方、処理部１３は、例えば、この処理を行っているタイミングが、タイミングｔ１３より後である場合には、周辺領域ＲＢ１，ＲＢ２以外の領域の画素Ｐ（例えば画素ＰＡ）に対する駆動終了タイミングと、対象画素ＰＺ（例えば画素ＰＢ１）に対する駆動終了タイミングとを一致させることができないと判断する。なお、駆動終了タイミングの“一致”は、完全一致だけでなく、駆動終了タイミングが同じ１つのフレーム期間（１Ｆ）に属する場合も含む。このようにして、処理部１３は、駆動終了タイミングを一致させることができるか否かを確認する。駆動終了タイミングを一致させることができない場合（ステップＳ１２２において“Ｎ”）には、ステップＳ１２４に進む。
【００８３】
ステップＳ１２２において、駆動終了タイミングを一致させることができる場合（ステップＳ１２２において“Ｙ”）には、処理部１３は、駆動終了タイミングが一致するように、対象画素ＰＺに対する駆動の開始タイミングを設定する（ステップＳ１２３）。これにより、駆動部１０は、その後、この駆動開始タイミングになったときに、この対象画素ＰＺに対する駆動を開始する。
【００８４】
また、ステップＳ１２１において、駆動をすでに終了している場合（ステップＳ１２１において“Ｙ”）や、ステップＳ１２２において、駆動終了タイミングを一致させることができない場合（ステップＳ１２２において“Ｎ”）には、駆動部１０は、ステップＳ１０８，Ｓ１０９において選択されたパラメータセットに基づいて、すぐに、対象画素ＰＺに対する駆動を開始する（ステップＳ１２４）。この場合には、対象画素ＰＺに対する駆動終了タイミングは、周辺領域ＲＢ１，ＲＢ２以外の領域の画素Ｐに対する駆動終了タイミングよりも遅れてしまうが、この場合でも、エッジゴーストが生じるおそれを低減することができる。そして、このサブルーチンは終了する。
【００８５】
そして、このサブルーチンは終了する。
【００８６】
次に、図１３に示したように、処理部１３は、周辺領域ＲＢ１，ＲＢ２に属する全ての画素Ｐを選択したか否かを確認する（ステップＳ１１０）。まだ、全ての画素Ｐを選択していない場合（ステップＳ１１０において“Ｎ”）には、処理部１３は、周辺領域ＲＢ１，ＲＢ２に属する画素Ｐのうちの未選択の画素Ｐの１つを対象画素ＰＺとして選択し（ステップＳ１１１）、ステップＳ１０３に進む。そして、全ての画素Ｐを選択するまで、ステップＳ１０３〜Ｓ１１１を繰り返す。
【００８７】
そして、全ての画素Ｐを選択した場合（ステップＳ１１０において“Ｙ”）には、処理部１３は、画像データＤpicに基づいて、周辺領域ＲＢ１，ＲＢ２を検出する（ステップＳ１１２）。そして、処理部１３は、この検出結果に基づいて周辺領域情報ＩＲＢを生成し、この周辺領域情報ＩＲＢを記憶部１２に記憶させる。
【００８８】
以上で、このフローは終了する。
【００８９】
このように、表示装置１では、周辺領域ＲＢ１に属する画素Ｐに加え、周辺領域ＲＢ２に属する画素Ｐに対しても、駆動を行うようにした。これにより、例えば、図９（Ｂ）に示したように、例えば画素ＰＢ１，ＰＢ２が灰色表示を行うおそれを低減することができるため、エッジゴーストが生じるおそれを低減することができ、その結果、画質を高めることができる。
【００９０】
また、表示装置１では、図１１，１２に示したように、周辺領域ＲＢ２に属する画素Ｐ（例えば画素ＰＢ２）に対する駆動時間ＴＢ２を、周辺領域ＲＢ１に属する画素Ｐ（例えば画素ＰＢ１）に対する駆動時間ＴＢ１よりも短くしたので、画質を高めることができる。すなわち、例えば、駆動時間ＴＢ２を駆動時間ＴＢ１と同じにした場合には、周辺領域ＲＢ２の外側の周辺領域にエッジゴーストが生じてしまうおそれがある。一方、表示装置１では、駆動時間ＴＢ２を駆動時間ＴＢ１よりも短くしたので、周辺領域ＲＢ２に属する画素Ｐが生成する電界が、周辺領域ＲＢ２の外側の画素Ｐに与える影響を少なくすることができるため、周辺領域ＲＢ２の外側の周辺領域にエッジゴーストが生じるおそれを低減することができる。その結果、表示装置１では、画質を高めることができる。
【００９１】
また、表示装置１では、図１１，１２に示したように、周辺領域ＲＢ１，ＲＢ２以外の領域の画素Ｐ（例えば画素ＰＡ）に対する駆動終了タイミングと、周辺領域ＲＢ１，ＲＢ２に属する画素Ｐ（例えば画素ＰＢ１，ＰＢ２）に対する駆動終了タイミングとを一致させるようにしたので、画質を高めることができる。すなわち、例えば、画素ＰＢ１，ＰＢ２に対する駆動終了タイミングを、画素ＰＡに対する駆動終了タイミングよりも早くした場合には、画素ＰＢ１，ＰＢ２に対する駆動が終了した後に、画素ＰＡが生成する電界が画素ＰＢ１などに影響を与え、エッジゴーストが生じるおそれがある。一方、表示装置１では、画素ＰＡに対する駆動終了タイミングと、画素ＰＢ１，ＰＢ２に対する駆動終了タイミングとを一致させるようにしたので、エッジゴーストが生じるおそれを低減することができる。その結果、表示装置１では、画質を高めることができる。
【００９２】
また、表示装置１では、駆動部１０は、複数のパラメータセットＰＳ１から、温度Ｔに応じたパラメータセットＰＳ１を選択し、このパラメータセットＰＳ１に基づいて、周辺領域ＲＢ１に属する画素Ｐに供給する信号を生成した。同様に、駆動部１０は、複数のパラメータセットＰＳ２から、温度Ｔに応じたパラメータセットＰＳ２を選択し、このパラメータセットＰＳ２に基づいて、周辺領域ＲＢ２に属する画素Ｐに供給する信号を生成した。これにより、表示装置１では、画質を高めることができる。すなわち、表示部２０の特性は、温度Ｔにより変化し得る。よって、温度Ｔに応じて、駆動時間ＴＢ１，ＴＢ２などを変化させることが望ましい。表示装置１では、温度Ｔに基づいて、周辺領域ＲＢ１，ＲＢ２に属する画素Ｐに供給する信号を生成したので、様々な温度において、効果的にエッジゴーストが生じるおそれを低減することができ、その結果、画質を高めることができる。
【００９３】
また、表示装置１では、一つ前の画像データＤpicに基づいて生成した周辺領域情報ＩＲＢに基づいて、周辺領域ＲＢ１，ＲＢ２における描画を行うようにした。これにより、例えば、新しい画像データＤpicが供給されたときに行う演算の量を少なくすることができる。その結果、表示装置１では、画像データＤpicが供給されてから描画が終了するまでの時間を短くすることができる。
【００９４】
［効果］
以上のように本実施の形態では、周辺領域ＲＢ１に属する画素に加え、周辺領域ＲＢ２に属する画素に対しても、駆動を行うようにしたので、画質を高めることができる。
【００９５】
本実施の形態では、周辺領域ＲＢ２に属する画素に対する駆動時間を、周辺領域ＲＢ１に属する画素に対する駆動時間よりも短くしたので、画質を高めることができる。
【００９６】
本実施の形態では、周辺領域ＲＢ１，ＲＢ２以外の領域の画素に対する駆動終了タイミングと、周辺領域ＲＢ１，ＲＢ２に属する画素に対する駆動終了タイミングとを一致させるようにしたので、画質を高めることができる。
【００９７】
本実施の形態では、温度に基づいて、周辺領域ＲＢ１，ＲＢ２に属する画素に供給する信号を生成したので、画質を高めることができる。
【００９８】
本実施の形態では、一つ前の画像データに基づいて生成した周辺領域情報に基づいて、周辺領域ＲＢ１，ＲＢ２における描画を行うようにしたので、画像データが供給されてから描画が終了するまでの時間を短くすることができる。
【００９９】
［変形例１］
上記実施の形態では、周辺領域ＲＢ１，ＲＢ２に属する画素Ｐの画素電圧Ｖpixを正の電圧Ｖｐに設定したが、これに限定されるものではない。これに代えて、例えば図１５に示す表示装置１Ａのように、画素電圧Ｖpixを正の電圧Ｖｐに設定する前に、画素電圧Ｖpixを負の電圧Ｖｍに設定してもよい。この例では、表示装置１Ａの駆動部１０Ａは、タイミングｔ３１〜ｔ３９の期間（描画期間ＰＷ）において、表示部２０に対して描画処理を行う。具体的には、まず、駆動部１０Ａは、タイミングｔ３２において、画素ＰＡの画素電圧Ｖpix（ＰＡ）を負の電圧Ｖｍに設定し、タイミングｔ３３において、画素電圧Ｖpix（ＰＡ）を正の電圧Ｖｐに設定する（図１５（Ａ））。また、駆動部１０Ａは、画素ＰＡの場合と同様に、タイミングｔ３４において、画素ＰＢ１の画素電圧Ｖpix（ＰＢ１）を負の電圧Ｖｍに設定し、タイミングｔ３５において、画素電圧Ｖpix（ＰＢ１）を正の電圧Ｖｐに設定する（図１５（Ｂ））。そして、駆動部１０Ａは、画素ＰＡの場合と同様に、タイミングｔ３６において、画素ＰＢ２の画素電圧Ｖpix（ＰＢ２）を負の電圧Ｖｍに設定し、タイミングｔ３７において、画素電圧Ｖpix（ＰＢ２）を正の電圧Ｖｐに設定する（図１５（Ｃ））。そして、タイミングｔ３８において、駆動部１０Ａは、画素電圧Ｖpix（ＰＡ），Ｖpix（ＰＢ１），Ｖpix（ＰＢ２）を電圧Ｖcomに設定する（図１５（Ａ）〜（Ｃ））。
【０１００】
［変形例２］
上記実施の形態では、周辺領域ＲＢ２に属する画素Ｐに対する駆動時間ＴＢ２を、周辺領域ＲＢ１に属する画素Ｐに対する駆動時間ＴＢ１よりも短くしたが、これに限定されるものではない。これに代えて、例えば図１６に示す表示装置１Ｂのように、周辺領域ＲＢ２に属する画素Ｐの画素電圧Ｖpixを、周辺領域ＲＢ１に属する画素Ｐの画素電圧Ｖpixよりも低くしてもよい。この例では、表示装置１Ｂの駆動部１０Ｂは、タイミングｔ４１〜ｔ４７の期間（描画期間ＰＷ）において、表示部２０に対して描画処理を行う。具体的には、まず、駆動部１０Ｂは、タイミングｔ４２において、画素ＰＡの画素電圧Ｖpix（ＰＡ）を負の電圧Ｖｍに設定し、タイミングｔ４３において、画素電圧Ｖpix（ＰＡ）を正の電圧Ｖｐに設定する（図１６（Ａ））。また、駆動部１０Ｂは、タイミングｔ４４において、画素ＰＢ１の画素電圧Ｖpix（ＰＢ１）を正の電圧Ｖｐに設定する（図１６（Ｂ））。そして、駆動部１０Ｂは、タイミングｔ４５において、画素ＰＢ２の画素電圧Ｖpix（ＰＢ２）を正の電圧Ｖｐ１に設定する（図１６（Ｃ））。この電圧Ｖｐ１は、電圧Ｖｐよりも低い電圧（Ｖｐ１＜Ｖｐ）である。そして、タイミングｔ４６において、駆動部１０Ｂは、画素電圧Ｖpix（ＰＡ），Ｖpix（ＰＢ１），Ｖpix（ＰＢ２）を電圧Ｖcomに設定する（図１６（Ａ）〜（Ｃ））。
【０１０１】
なお、表示装置１Ｂでは、上記実施の形態に係る表示装置１（例えば図１２）に本変形例を適用したが、これに限定されるものではなく、例えば変形例１（図１５）に本変形例を適用してもよい。
【０１０２】
［変形例３］
上記実施の形態では、周辺領域ＲＢ１，ＲＢ２に属する画素Ｐの画素電圧Ｖpixを電圧Ｖｐに設定したが、これに限定されるものではない。これに代えて、例えば図１７に示す表示装置１Ｃのように、周辺領域ＲＢ１，ＲＢ２に属する画素Ｐの画素電圧Ｖpixを、電圧Ｖｐよりも低い正の電圧Ｖｐ１に設定してもよい。この例では、表示装置１Ｃの駆動部１０Ｃは、タイミングｔ５１〜ｔ５７の期間（描画期間ＰＷ）において、表示部２０に対して描画処理を行う。具体的には、まず、駆動部１０Ｃは、タイミングｔ５２において、画素ＰＡの画素電圧Ｖpix（ＰＡ）を負の電圧Ｖｍに設定し、タイミングｔ５３において、画素電圧Ｖpix（ＰＡ）を正の電圧Ｖｐに設定する（図１７（Ａ））。また、駆動部１０Ｃは、タイミングｔ５４において、画素ＰＢ１の画素電圧Ｖpix（ＰＢ１）を正の電圧Ｖｐ１に設定し（図１７（Ｂ））、タイミングｔ５５において、画素ＰＢ２の画素電圧Ｖpix（ＰＢ２）を正の電圧Ｖｐ１に設定する（図１７（Ｃ））。そして、タイミングｔ５６において、駆動部１０Ｃは、画素電圧Ｖpix（ＰＡ），Ｖpix（ＰＢ１），Ｖpix（ＰＢ２）を電圧Ｖcomに設定する（図１７（Ａ）〜（Ｃ））。
【０１０３】
また、例えば図１８に示す表示装置１Ｄのように、周辺領域ＲＢ１，ＲＢ２に属する画素Ｐの画素電圧Ｖpixを、複数回に分けて電圧Ｖｐ１に設定してもよい。これにより、周辺領域ＲＢ１の外側の周辺領域においてエッジゴーストが生じるおそれを低減することができる。
【０１０４】
［変形例４］
上記実施の形態では、周辺領域ＲＢ１，ＲＢ２に属する画素Ｐを駆動したが、これに限定されるものではなく、さらに外側の１または複数の周辺領域の画素Ｐをも駆動してもよい。以下に、本変形例に係る表示装置１Ｄについて詳細に説明する。
【０１０５】
図１９は、本変形例に係る表示画像を示し、（Ａ）は四角形の黒色のオブジェクトＯＢＪ１を表示させた場合における表示例を示し、（Ｂ）はこの黒色のオブジェクトＯＢＪ１を白色のオブジェクトＯＢＪ２に書き換えた場合における表示例を示す。図２０Ａは、図１９（Ａ）における、画素ＰＡ，ＰＢ１，ＰＢ２，ＰＢ３の状態を表すものである。図２０Ｂは、図１９（Ｂ）における、画素ＰＡ，ＰＢ１，ＰＢ２，ＰＢ３の状態を表すものである。画素ＰＢ３は、周辺領域ＲＢ２の外側の周辺領域ＲＢ３に属する画素Ｐである。
【０１０６】
表示部２０に黒色のオブジェクトＯＢＪ１を表示させる場合に、表示装置１Ｄの駆動部１０Ｄは、画素領域ＲＡに属する画素Ｐの画素電圧Ｖpixを負の電圧Ｖｍに設定し、周辺領域ＲＢ１，ＲＢ２，ＲＢ３に属する画素Ｐの画素電圧Ｖpixを、ともに電圧Ｖcomに設定する。これにより、図１９（Ａ）、２０Ａに示したように、オブジェクトＯＢＪ１の周囲に、灰色のリングが表示される。
【０１０７】
次に、表示部２０に、このオブジェクトＯＢＪ１に重ねるように白いオブジェクトＯＢＪ２を表示させる場合に、駆動部１０Ｄは、画素領域ＲＡに属する画素Ｐの画素電圧Ｖpixを正の電圧Ｖｐに設定する。その際、駆動部１０Ｄは、周辺領域ＲＢ１，ＲＢ２，ＲＢ３に属する画素Ｐに、短い時間だけ電圧Ｖｐを印加する。
【０１０８】
図２１は、画素電圧Ｖpixの波形例を表すものであり、（Ａ）は画素ＰＡの画素電圧Ｖpix（ＰＡ）の波形を示し、（Ｂ）は画素ＰＢ１の画素電圧Ｖpix（ＰＢ１）の波形を示し、（Ｃ）は画素ＰＢ２の画素電圧Ｖpix（ＰＢ２）の波形を示し、（Ｄ）は画素ＰＢ３の画素電圧Ｖpix（ＰＢ３）の波形を示す。この例では、駆動部１０Ｄは、タイミングｔ７１〜ｔ７７の期間（描画期間ＰＷ）において、表示部２０に対して描画処理を行う。具体的には、まず、タイミングｔ７２において、駆動部１０Ｄは、画素ＰＡの画素電圧Ｖpix（ＰＡ）を正の電圧Ｖｐに設定する（図２１（Ａ））。そして、タイミングｔ７３において、駆動部１０Ｄは、画素ＰＢ１の画素電圧Ｖpix（ＰＢ１）を正の電圧Ｖｐに設定し（図２１（Ｂ））、タイミングｔ７４において、画素ＰＢ２の画素電圧Ｖpix（ＰＢ２）を正の電圧Ｖｐに設定し（図２１（Ｃ））、タイミングｔ７５において、画素ＰＢ３の画素電圧Ｖpix（ＰＢ３）を正の電圧Ｖｐに設定する（図２１（Ｄ））。そして、タイミングｔ７６において、駆動部１０Ｄは、画素電圧Ｖpix（ＰＡ），Ｖpix（ＰＢ１），Ｖpix（ＰＢ２），Ｖpix（ＰＢ３）を電圧Ｖcomに設定する（図２１（Ａ）〜（Ｄ））。
【０１０９】
このように、駆動部１０Ｄは、周辺領域ＲＢ１に属する画素Ｐの画素電圧Ｖpixを、短い時間だけ電圧Ｖｐに設定し、周辺領域ＲＢ２に属する画素Ｐの画素電圧Ｖpixを、さらに短い時間だけ電圧Ｖｐに設定し、周辺領域ＲＢ３に属する画素Ｐの画素電圧Ｖpixを、さらに短い時間だけ電圧Ｖｐに設定する。これにより、表示装置１Ｄでは、図２０Ｂに示したように、例えば画素ＰＢ１，ＰＢ２，ＰＢ３が灰色表示を行うおそれを低減することができるため、図１９（Ｂ）に示したように、エッジゴーストが生じるおそれを低減することができる。
【０１１０】
［その他の変形例］
また、これらの変形例のうちの２以上を組み合わせてもよい。
【０１１１】
＜２．適用例＞
次に、上述の実施の形態および変形例において説明した表示装置の適用例について説明する。ただし、以下で説明する電子機器の構成はあくまで一例であり、その構成は適宜変更可能である。上記の表示装置は、各種の電子機器あるいは服飾品の一部に適用可能であり、その電子機器等の種類は特に限定されない。
【０１１２】
（適用例１）
図２２Ａおよび図２２Ｂは、電子ブックの外観構成を表している。この電子ブックは、例えば、表示部１１０と、筐体１２０と、操作部１３０とを備えている。なお、操作部１３０は、図２２Ａに示したように筐体１２０の前面に設けられていてもよいし、図２２Ｂに示したように筐体１２０の側面に設けられていてもよい。表示部１１０は、上記の表示装置により構成される。なお、上記の表示装置は、図２２Ａ，２２Ｂに示した電子ブックと同様の構成を有するＰＤＡ（Personal Digital Assistants）等に搭載されてもよい。
【０１１３】
（適用例２）
図２３は、タブレットコンピュータの外観を表したものである。このタブレットコンピュータは、例えば、タッチパネル部３１０および筐体３２０を有しており、タッチパネル部３１０が上記の表示装置により構成されている。
【０１１４】
（適用例３）
上記の表示装置は、いわゆるウェアラブル端末として、例えば時計（腕時計）、鞄、衣服、帽子、眼鏡および靴等の服飾品の一部に適用することも可能である。以下に、そのような服飾品一体型の電子機器の一例を示す。
【０１１５】
図２４Ａおよび図２４Ｂは、電子時計（腕時計一体型電子機器）の外観を表したものである。この電子時計は、例えば文字盤（文字情報表示部分）４１０とバンド部（色柄表示部分）４２０とを有しており、これらの文字盤４１０およびバンド部４２０が上記の表示装置を含んで構成されている。文字盤４１０には、上述の電気泳動素子を用いた表示駆動により、図２４Ａおよび図２４Ｂのように、例えば様々な文字や図柄が表示される。バンド部４２０は、例えば腕等に装着可能な部位である。このバンド部４２０において、上記の表示装置が用いられることで、様々な色柄を表示することができ、図２４Ａの例から図２４Ｂの例のように、バンド部４２０の意匠を変更することができる。このように、ファッション用途においても有用な電子デバイスを実現可能となる。
【０１１６】
以上、実施の形態および変形例、ならびに電子機器への適用例を挙げて本技術を説明したが、本技術はこれらの実施の形態等には限定されず、種々の変形が可能である。
【０１１７】
例えば、上記の各実施の形態では、マイクロカプセル方式の電気泳動素子を用いたが、これに限定されるものではなく、他の方式の電気泳動素子を用いてもよい。
【０１１８】
なお、本明細書に記載された効果はあくまで例示であって限定されるものでは無く、また他の効果があってもよい。
【０１１９】
なお、本技術は以下のような構成とすることができる。
【０１２０】
（１）それぞれが電気泳動素子と画素電極とを有する複数の画素のうち、所定色以外の色から前記所定色に書き換える画素領域の外側の第１の周辺領域に属する第１の画素の前記画素電極に第１のパルス信号が生じるように前記第１の画素を駆動するとともに、前記第１の周辺領域の外側の第２の周辺領域に属する第２の画素の前記画素電極に第２のパルス信号が生じるように前記第２の画素を駆動する駆動部を備えた駆動装置。
【０１２１】
（２）前記駆動部は、さらに、前記第２の周辺領域の外側の第３の周辺領域に属する第３の画素の前記画素電極に第３のパルス信号が生じるように前記第３の画素を駆動する
前記（１）に記載の駆動装置。
【０１２２】
（３）前記駆動部は、
第１の画像データに基づいて、前記第１の画像データにおける前記所定色以外の色を示す画素領域の外側の第４の周辺領域、および前記第４の周辺領域の外側の第５の周辺領域を検出し、
前記第１の画像データの次の第２の画像データにおける前記第４の周辺領域に属する各画素の画素値に基づいて前記第１の周辺領域を求めるとともに、前記第５の周辺領域に属する各画素の画素値に基づいて前記第２の周辺領域を求める
前記（１）または（２）に記載の駆動装置。
【０１２３】
（４）前記第２のパルス信号における駆動時間は、前記第１のパルス信号における駆動時間より短い
前記（１）から（３）のいずれかに記載の駆動装置。
【０１２４】
（５）前記第２のパルス信号の振幅は、前記第１のパルス信号の振幅よりも小さい
前記（１）から（４）のいずれかに記載の駆動装置。
【０１２５】
（６）前記駆動部は、前記画素領域に属する第４の画素の前記画素電極に第４のパルス信号が生じるように前記第４の画素を駆動し、
前記第１のパルス信号の終了タイミングは、前記第４のパルス信号の終了タイミングに対応したタイミングである
前記（１）から（５）のいずれかに記載の駆動装置。
【０１２６】
（７）前記第１のパルス信号における駆動時間は、前記第４のパルス信号における駆動時間より短い
前記（６）に記載の駆動装置。
【０１２７】
（８）前記駆動部は、前記画素領域に属する第４の画素の前記画素電極に第４のパルス信号が生じるように前記第４の画素を駆動し、
前記第２のパルス信号の終了タイミングは、前記第４のパルス信号の終了タイミングに対応したタイミングである
前記（１）から（７）のいずれかに記載の駆動装置。
【０１２８】
（９）前記第１のパルス信号および前記第２のパルス信号のうちの一方または双方は、複数のパルスを含む
前記（１）から（８）のいずれかに記載の駆動装置。
【０１２９】
（１０）前記第１のパルス信号は、前記所定色に対応する第１の電圧と、第２の電圧と、前記第１の電圧と前記第２の電圧との間の第３の電圧とを含み、
前記第２のパルス信号は、前記所定色に対応する第４の電圧と、第５の電圧と、前記第３の電圧とを有し、
前記第２のパルス信号における前記第４の電圧である期間の長さは、前記第１のパルス信号における前記第１の電圧である期間の長さよりも短い
前記（１）から（３）のいずれかに記載の駆動装置。
【０１３０】
（１１）前記第１の電圧と前記第４の電圧とは、互いに等しい
前記（１０）に記載の駆動装置。
【０１３１】
（１２）前記第１のパルス信号は、前記所定色に対応する第１の電圧と、第２の電圧と、前記第１の電圧と前記第２の電圧との間の第３の電圧とを含み、
前記第２のパルス信号は、前記所定色に対応する第４の電圧と、第５の電圧と、前記第３の電圧とを有し、
前記第４の電圧と前記第３の電圧との電圧差は、前記第１の電圧と前記第３の電圧との電圧差よりも小さい
前記（１）から（３）のいずれかに記載の駆動装置。
【０１３２】
（１３）前記駆動部は、前記画素領域に属する第４の画素の前記画素電極に第４のパルス信号が生じるように前記第４の画素を駆動し、
前記第１のパルス信号の終了タイミングは、前記第４のパルス信号の終了タイミングに対応したタイミングである
前記（１０）から（１２）のいずれかに記載の駆動装置。
【０１３３】
（１４）前記駆動部は、前記画素領域に属する第４の画素の前記画素電極に第４のパルス信号が生じるように前記第４の画素を駆動し、
前記第２のパルス信号の終了タイミングは、前記第４のパルス信号の終了タイミングに対応したタイミングである
前記（１０）から（１３）のいずれかに記載の駆動装置。
【０１３４】
（１５）前記駆動部は、
前記第１のパルス信号を生成するための複数の第１のパラメータセットと、前記第２のパルス信号を生成するための複数の第２のパラメータセットとを記憶する記憶部をさらに有し、
前記複数の第１のパラメータセットのうちのいずれかに基づいて前記第１の画素を駆動するとともに、前記複数の第２のパラメータセットのうちのいずれかに基づいて前記第２の画素を駆動する
前記（１）から（１４）のいずれかに記載の駆動装置。
【０１３５】
（１６）前記駆動部は、
温度センサをさらに有し、
前記温度センサにおける検出結果に基づいて、前記複数の第１のパラメータセットのうちのうちの１つを選択するとともに、前記複数の第２のパラメータセットのうちのうちの１つを選択し、選択された第１のパラメータセットに基づいて前記第１の画素を駆動するとともに、選択された第２のパラメータセットに基づいて前記第２の画素を駆動する
前記（１５）に記載の駆動装置。
【０１３６】
（１７）前記所定色は、明表示に対応する色である
前記（１）から（１６）のいずれかに記載の駆動装置。
【０１３７】
（１８）前記所定色は、白色である
前記（１）から（１７）のいずれかに記載の駆動装置。
【０１３８】
（１９）それぞれが電気泳動素子と画素電極とを有する複数の画素のうち、所定色以外の色から前記所定色に書き換える画素領域の外側の第１の周辺領域に属する第１の画素の前記画素電極に第１のパルス信号が生じるように前記第１の画素を駆動し、
前記第１の周辺領域の外側の第２の周辺領域に属する第２の画素の前記画素電極に第２のパルス信号が生じるように前記第２の画素を駆動する
駆動方法。
【０１３９】
（２０）それぞれが電気泳動素子と画素電極とを有する複数の画素を有する表示部と、
前記複数の画素のうち、所定色以外の色から前記所定色に書き換える画素領域の外側の第１の周辺領域に属する第１の画素の前記画素電極に第１のパルス信号が生じるように前記第１の画素を駆動するとともに、前記第１の周辺領域の外側の第２の周辺領域に属する第２の画素の前記画素電極に第２のパルス信号が生じるように前記第２の画素を駆動する駆動部と
を備えた表示装置。
【符号の説明】
【０１４０】
１，１Ａ〜１Ｄ…表示装置、１０，１０Ａ〜１０Ｄ…駆動部、１１…温度センサ、１２…記憶部、１３…処理部、１４…走査線駆動部、１５…信号線駆動部、２１…トランジスタ、２２…表示素子、２３…マイクロカプセル、２４Ｂ，２４Ｗ…泳動粒子、２５…分散媒、２６…バインダ、３０…駆動基板、３１…基板、３２…画素電極、４０…対向基板、４１…基板、４２…対向電極、Ｄpic…画像データ、ＩＲＢ…周辺領域情報、ＯＢＪ１，ＯＢＪ２…オブジェクト、Ｐ，ＰＡ，ＰＢ１，ＰＢ２，ＰＢ３，Ｐ（１）〜Ｐ（Ｎ）…画素、ＰＳ１，ＰＳ２…パラメータセット、ＰＷ…描画期間、ＰＺ…対象画素、ＲＡ…画素領域、ＲＢ１，ＲＢ２…周辺領域、Ｓ…表示面、ＳＣＬ…走査線、Ｓｃ，Ｓｃ（１）〜Ｓｃ（Ｎ）…走査信号、ＳＧＬ…信号線、Ｓpic…画像信号、ＴＢ１〜ＴＢ３…駆動時間、Ｖcom，Ｖｍ，Ｖｐ…電圧、Ｖpix，Ｖpix（１）〜Ｖpix（Ｎ），Ｖpix（ＰＡ），Ｖpix（ＰＢ１），Ｖpix（ＰＢ２），Ｖpix（ＰＢ３）…画素電圧。
【図１】
2018021982.tif 000003
【図２Ａ】
2018021982.tif 000004
【図２Ｂ】
2018021982.tif 000005
【図３Ａ】
2018021982.tif 000006
【図３Ｂ】
2018021982.tif 000007
【図４Ａ】
2018021982.tif 000008
【図４Ｂ】
2018021982.tif 000009
【図５】
2018021982.tif 000010
【図６Ａ】
2018021982.tif 000011
【図６Ｂ】
2018021982.tif 000012
【図７】
2018021982.tif 000013
【図８Ａ】
2018021982.tif 000014
【図８Ｂ】
2018021982.tif 000015
【図９】
2018021982.tif 000016
【図１０Ａ】
2018021982.tif 000017
【図１０Ｂ】
2018021982.tif 000018
【図１１】
2018021982.tif 000019
【図１２】
2018021982.tif 000020
【図１３】
2018021982.tif 000021
【図１４】
2018021982.tif 000022
【図１５】
2018021982.tif 000023
【図１６】
2018021982.tif 000024
【図１７】
2018021982.tif 000025
【図１８】
2018021982.tif 000026
【図１９】
2018021982.tif 000027
【図２０Ａ】
2018021982.tif 000028
【図２０Ｂ】
2018021982.tif 000029
【図２１】
2018021982.tif 000030
【図２２Ａ】
2018021982.tif 000031
【図２２Ｂ】
2018021982.tif 000032
【図２３】
2018021982.tif 000033
【図２４Ａ】
2018021982.tif 000034
【図２４Ｂ】
2018021982.tif 000035